【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＥＰＤＣＣＨを受信することと、
前記構成の第２のセットからの少なくとも１つの構成に基づいて前記ＥＰＤＣＣＨを処理することと
を備える、方法。
【請求項２】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項１に記載の方法。
【請求項３】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含むに対応する、請求項２に記載の方法。
【請求項４】
前記構成の第２のセットは、無線リソース制御（ＲＲＣ）構成に基づいて前記構成の第１のセットから選択される、請求項１に記載の方法。
【請求項５】
前記構成の第２のセットを受信することは、ＱＣＬ構成パラメータを識別するインジケータを受信することを含み、ここにおいて、前記構成の第２のセットは、前記ＱＣＬ構成を識別する前記インジケータを使用して前記構成の第１のセットから選択される、請求項４に記載の方法。
【請求項６】
前記ＰＤＳＣＨは、多地点協調システムにおいて実装される、請求項１に記載の方法。
【請求項７】
前記構成の第２のセットは、前記ＥＰＤＣＣＨのための前記ＱＣＬインジケーションパラメータに対応する、請求項１に記載の方法。
【請求項８】
前記ＱＣＬインジケーションパラメータは、前記ＥＰＤＣＣＨのためのＱＣＬ−チャネル状態情報（ＣＳＩ）基準信号（ＲＳ）インデックスを備える、請求項７に記載の方法。
【請求項９】
前記構成の第２のセットは、前記ＥＰＤＣＣＨのための前記開始シンボルパラメータに対応する、請求項１に記載の方法。
【請求項１０】
前記構成の第２のセットは、前記ＥＰＤＣＣＨのための前記レートマッチングパラメータに対応する、請求項１に記載の方法。
【請求項１１】
前記構成の第２のセットにおける各構成は、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項１に記載の方法。
【請求項１２】
前記構成の第２のセットからの少なくとも１つの構成に基づいて前記ＥＰＤＣＣＨを処理することは、前記構成の第２のセットからの前記少なくとも１つの構成に基づいてＥＰＤＣＣＨリソース要素（ＲＥ）マッピングおよびＥＰＤＣＣＨアンテナポート疑似コロケーションを決定することを含む、請求項１に記載の方法。
【請求項１３】
前記構成の第１のセットは、複数のＰＤＳＣＨ構成を含み、前記構成の第２のセットは、前記複数のＰＤＳＣＨ構成の中からのサブセットである１つまたは複数のＥＰＤＣＣＨ構成を含む、請求項１に記載の方法。
【請求項１４】
ワイヤレス通信の方法であって、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＰＤＳＣＨのための前記構成の第１のセットおよび前記ＥＰＤＣＣＨのための前記構成の第２のセットを送信することと、
前記ＥＰＤＣＣＨを送信することと
を備える、方法。
【請求項１５】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項１４に記載の方法。
【請求項１６】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項１５に記載の方法。
【請求項１７】
前記構成の第２のセットは、無線リソース制御（ＲＲＣ）構成に基づいて前記構成の第１から選択される、請求項１４に記載の方法。
【請求項１８】
前記構成の第２のセットは、疑似コロケートされた構成を識別するインジケータを含む、請求項１７に記載の方法。
【請求項１９】
前記ＰＤＳＣＨは、多地点協調システムにおいて実装される、請求項１４に記載の方法。
【請求項２０】
前記構成の第２のセットは、前記ＥＰＤＣＣＨのための前記ＱＣＬインジケーションパラメータに対応する、請求項１４に記載の方法。
【請求項２１】
前記ＱＣＬインジケーションパラメータは、前記ＥＰＤＣＣＨのためのＱＣＬ−チャネル状態情報（ＣＳＩ）基準信号（ＲＳ）インデックスを備える、請求項２０に記載の方法。
【請求項２２】
前記構成の第２のセットは、前記ＥＰＤＣＣＨのための前記開始シンボルパラメータに対応する、請求項１４に記載の方法。
【請求項２３】
前記構成の第２のセットは、前記ＥＰＤＣＣＨのための前記レートマッチングパラメータに対応する、請求項１４に記載の方法。
【請求項２４】
前記構成の第２のセットは、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項１４に記載の方法。
【請求項２５】
前記構成の第１のセットは、複数のＰＤＳＣＨ構成を含み、前記構成の第２のセットは、前記複数のＰＤＳＣＨ構成の中からのサブセットである１つまたは複数のＥＰＤＣＣＨ構成を含む、請求項１４に記載の方法。
【請求項２６】
ワイヤレス通信の装置であって、
物理ダウンリンク共有チャネル（ＰＤＳＣＨ）のための構成の第１のセットを受信するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信するための手段と、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＥＰＤＣＣＨを受信するための手段と、
前記構成の第２のセットからの少なくとも１つの構成に基づいて前記ＥＰＤＣＣＨを処理するための手段と
を備える、装置。
【請求項２７】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項２６に記載の装置。
【請求項２８】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項２７に記載の装置。
【請求項２９】
前記構成の第２のセットは、無線リソース制御（ＲＲＣ）構成に基づいて前記構成の第１のセットから選択される、請求項２６に記載の装置。
【請求項３０】
前記ＰＤＳＣＨは、多地点協調システムにおいて実装される、請求項２６に記載の装置。
【請求項３１】
前記構成の第２のセットは、前記ＥＰＤＣＣＨのための前記ＱＣＬインジケーションパラメータに対応する、請求項２６に記載の装置。
【請求項３２】
前記構成の第２のセットは、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項２６に記載の装置。
【請求項３３】
前記ＥＰＤＣＣＨを処理するための前記手段は、前記構成の第２のセットからの前記少なくとも１つの構成に基づいてＥＰＤＣＣＨリソース要素（ＲＥ）マッピングおよびＥＰＤＣＣＨアンテナポート疑似コロケーションを決定する、請求項２６に記載の装置。
【請求項３４】
ワイヤレス通信のための装置であって、
物理ダウンリンク共有チャネル（ＰＤＳＣＨ）のための構成の第１のセットを構成するための手段と、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成するための手段と、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＰＤＳＣＨのための前記構成の第１のセットおよび前記ＥＰＤＣＣＨのための前記構成の第２のセットを送信するための手段と、
前記ＥＰＤＣＣＨを送信するための手段と
を備える、装置。
【請求項３５】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項３４に記載の装置。
【請求項３６】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項３５に記載の装置。
【請求項３７】
前記構成の第２のセットは、無線リソース制御（ＲＲＣ）構成に基づいて前記構成の第１のセットから選択される、請求項３４に記載の装置。
【請求項３８】
前記ＰＤＳＣＨは、多地点協調システムにおいて実装される、請求項３４に記載の装置。
【請求項３９】
前記構成の第２のセットは、前記ＥＰＤＣＣＨのための前記ＱＣＬインジケーションパラメータに対応する、請求項３４に記載の装置。
【請求項４０】
前記構成の第２のセットは、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項３４に記載の装置。
【請求項４１】
ワイヤレス通信のための装置であって、
メモリと、
前記メモリに結合された少なくとも１つのプロセッサと
を備え、前記少なくとも１つのプロセッサは、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＥＰＤＣＣＨを受信することと、
前記構成の第２のセットからの少なくとも１つの構成に基づいて前記ＥＰＤＣＣＨを処理することと
を行うよう構成される、装置。
【請求項４２】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項４１に記載の装置。
【請求項４３】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項４２に記載の装置。
【請求項４４】
前記構成の第２のセットは、無線リソース制御（ＲＲＣ）構成に基づいて前記構成の第１のセットから選択される、請求項４１に記載の装置。
【請求項４５】
前記ＰＤＳＣＨは、多地点協調システムにおいて実装される、請求項４１に記載の装置。
【請求項４６】
前記構成の第２のセットは、前記ＥＰＤＣＣＨのための前記ＱＣＬインジケーションパラメータに対応する、請求項４１に記載の装置。
【請求項４７】
前記構成の第２のセットは、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項４１に記載の装置。
【請求項４８】
前記構成の第２のセットからの前記少なくとも１つの構成に基づいて前記ＥＰＤＣＣＨを処理することは、前記構成の第２のセットからの前記少なくとも１つの構成に基づいてＥＰＤＣＣＨリソース要素（ＲＥ）マッピングおよびＥＰＤＣＣＨアンテナポート疑似コロケーションを決定することを含む、請求項４１に記載の装置。
【請求項４９】
ワイヤレス通信のための装置であって、
メモリと、
前記メモリに結合された少なくとも１つのプロセッサと
を備え、前記少なくとも１つのプロセッサは、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＰＤＳＣＨのための前記構成の第１のセットおよび前記ＥＰＤＣＣＨのための前記構成の第２のセットを送信することと、
前記ＥＰＤＣＣＨを送信することと
を行うよう構成される、装置。
【請求項５０】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項４９に記載の装置。
【請求項５１】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項５０に記載の装置。
【請求項５２】
前記構成の第２のセットは、無線リソース制御（ＲＲＣ）構成に基づいて前記構成の第１から選択される、請求項４９に記載の装置。
【請求項５３】
前記ＰＤＳＣＨは、多地点協調システムにおいて実装される、請求項４９に記載の装置。
【請求項５４】
前記構成の第２のセットは、前記ＥＰＤＣＣＨのための前記ＱＣＬインジケーションパラメータに対応する、請求項４９に記載の装置。
【請求項５５】
前記構成の第２のセットは、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータに対応する、請求項４９に記載の装置。
【請求項５６】
ワイヤレス通信のためのコンピュータ実行可能なコードを記憶する非一時的なコンピュータ可読媒体であって、
物理ダウンリンク共有チャネル（ＰＤＳＣＨ）のための構成の第１のセットを受信することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを受信することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＥＰＤＣＣＨを受信することと、
前記構成の第２のセットからの少なくとも１つの構成に基づいて前記ＥＰＤＣＣＨを処理することと
を行うためのコードを備える、非一時的なコンピュータ可読媒体。
【請求項５７】
前記構成の第２のセットは、第１のＥＰＤＣＣＨ構成および第２のＥＰＤＣＣＨ構成を含み、
前記受信されるＥＰＤＣＣＨは、第１のリソースセットおよび第２のリソースセットにおいて受信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項５６に記載のコンピュータ可読媒体。
【請求項５８】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項５７に記載のコンピュータ可読媒体。
【請求項５９】
前記構成の第２のセットは、無線リソース制御（ＲＲＣ）構成に基づいて前記構成の第１のセットから選択され、ここにおいて、前記ＰＤＳＣＨは、多地点協調システムにおいて実装される、請求項５６に記載のコンピュータ可読媒体。
【請求項６０】
ワイヤレス通信のためのコンピュータ実行可能なコードを記憶する非一時的なコンピュータ可読媒体であって、
物理ダウンリンク共有チャネル（ＰＤＳＣＨ）のための構成の第１のセットを構成することと、ここにおいて、前記構成の第１のセットにおける各構成は、開始シンボル、レートマッチング情報、または疑似コロケーション（ＱＣＬ）インジケーションのうちの少なくとも１つを定義する、
拡張物理ダウンリンク制御チャネル（ＥＰＤＣＣＨ）のための構成の第２のセットを構成することと、ここにおいて、前記構成の第２のセットは、前記構成の第１のセットの中からのサブセットに対応し、前記構成の第２のセットは、前記構成の第１のセットの中からの構成のサブセットを参照することによって示され、前記構成の第２のセットにおける各構成は、
前記ＥＰＤＣＣＨのための疑似コロケーション（ＱＣＬ）インジケーションパラメータ、
前記ＥＰＤＣＣＨのための開始シンボルパラメータ、または、
前記ＥＰＤＣＣＨのためのレートマッチングパラメータ、
のうちの少なくとも１つに対応し、
ここにおいて、前記構成の第２のセットの各々について、前記ＥＰＤＣＣＨのための前記ＱＣＬインジケーションパラメータ、前記ＥＰＤＣＣＨのための前記開始シンボルパラメータ、および前記ＥＰＤＣＣＨのための前記レートマッチングパラメータは、前記構成の第１のセットからのＰＤＳＣＨ構成に基づく、
前記ＰＤＳＣＨのための前記構成の第１のセットおよび前記ＥＰＤＣＣＨのための前記構成の第２のセットを送信することと、
前記ＥＰＤＣＣＨを送信することと
を行うためのコードを備える、非一時的なコンピュータ可読媒体。
【請求項６１】
前記構成の第２のセットは、第１のＥＰＤＣＣＨ構成および第２のＥＰＤＣＣＨ構成を含み、
前記送信されるＥＰＤＣＣＨは、第１のリソースセットおよび第２のリソースセットにおいて送信され、
前記第１のＥＰＤＣＣＨ構成は、前記第１のリソースセットにおいて前記ＥＰＤＣＣＨを処理するために定義され、
前記第２のＥＰＤＣＣＨ構成は、前記第２のリソースセットにおいて前記ＥＰＤＣＣＨを処理するために定義される、請求項６０に記載のコンピュータ可読媒体。
【請求項６２】
前記構成の第１のセットは、４つのＰＤＳＣＨ構成を含み、前記構成の第２のセットは、前記４つのＰＤＳＣＨ構成の中からのサブセットである２つのＥＰＤＣＣＨ構成を含む、請求項６１に記載のコンピュータ可読媒体。
【請求項６３】
前記構成の第２のセットは、無線リソース制御（ＲＲＣ）構成に基づいて前記構成の第１のセットから選択される、請求項６０に記載のコンピュータ可読媒体。
【請求項６４】
前記ＰＤＳＣＨは、多地点協調システムにおいて実装される、請求項６０に記載のコンピュータ可読媒体。